(57)【要約】      （修正有）【課題】首部が極端に太い又は細い塗り薬具や首部が螺子加工されていない塗り薬具等を含む多様な形状の塗り薬具を、塗り薬具の損傷を回避しながら取付けられる、塗り薬具着脱可能な折畳み式孫の手を提供する。【解決手段】先端に掻き部１Ａを形成したアーム１と、先端に取付部材２Ａを設けたアーム２とを開いて最大限伸ばした形状が、くの字状の形状にしてなる塗り薬具着脱可能な折畳み式孫の手であって、取付部材２Ａが、アーム２の先端に外嵌され上下方向の貫通孔を有する先端が封止されたリップ溝形のフレーム７と、フレーム７に摺動自在に設けられフレーム７の先端と押圧部材８で連結された摺動部材９とを具え、摺動部材９が押圧部材８で押圧されることにより、第１係止部と第２係止部とで塗り薬具が挟持可能とされてなる塗り薬具着脱可能な折畳み式孫の手である。【選択図】図１
0003139577.tif 000002
【実用新案登録請求の範囲】
【請求項１】
先端を曲げて掻き部を形成したアームの後端部と、先端に塗り薬具を着脱可能に取付けるための取付部材を設けたアームの後端部とが、軸ボルトで折畳み可能に枢軸されて構成され、アームを開いて最大限伸ばした形状が、くの字状の形状にしてなる塗り薬具着脱可能な折畳み式孫の手であって、
取付部材が、アームの先端に外嵌され上下方向の貫通孔を有する先端が封止されたリップ溝形のフレームと、フレームに摺動自在に設けられフレームの先端と押圧部材で連結された摺動部材とを具え、アームの先端における左右略中央が凹まされて貫通孔内に第１係止部が設けられると共に、摺動部材の第１係止部と対向する端部の左右略中央が凹まされて第２係止部が設けられてなることを特徴とする塗り薬具着脱可能な折畳み式孫の手。
【請求項２】
フレームがアームに摺動自在とされ、フレームの１面に摺動方向に長いガイド孔が形成されると共に、ガイド孔に挿通されアームに螺合された抑え具を具えてなることを特徴とする請求項１に記載の塗り薬具着脱可能な折畳み式孫の手。
【請求項３】
押圧部材が、摺動部材に回動自在に係合されフレームの先端に螺嵌されてなることを特徴とする請求項１又は請求項２に記載の塗り薬具着脱可能な折畳み式孫の手。
【請求項４】
第１係止部の端面及び第２係止部の端面のうち、一方が上下略中央が凹まされた凹曲面であると共に、他方が上下略中央が凸なる凸曲面であることを特徴とする請求項１乃至請求項３の何れか１項に記載の塗り薬具着脱可能な折畳み式孫の手。
【請求項５】
第１係止部及び第２係止部の対向する端面に、緩衝材が接合されてなることを特徴とする請求項１乃至請求項４の何れか１項に記載の塗り薬具着脱可能な折畳み式孫の手。
【考案の詳細な説明】
【技術分野】
【０００１】
本考案は、多様な形状の塗り薬具を容易に着脱でき、身体の手の届かない患部に塗り薬やねり薬を塗ることのできる塗り薬具着脱可能な折畳み式孫の手に関する。
【背景技術】
【０００２】
近年、頭部に塗布面を有する薬液の入った容器（以下、塗り薬具と称する）として販売される塗り薬が普及している。斯様な塗り薬具を用いて背中等の身体の手の届かない患部に１人で塗り薬を塗ることを容易ならしめ、且つ孫の手としても使用可能な器具に関する発明又は考案が開示されている。
【０００３】
例えば、本考案の考案者は、携帯性を有し身体機能の低下に対応した塗り薬具着脱可能な折畳み式孫の手を考案した（特許文献１参照）。特許文献１には、更に、首部に螺子が加工された塗り薬具を、螺子螺合して取付けられる取付部材を設けた折畳み式孫の手が開示されている。
【０００４】
また、柄の一端部に、塗り薬が押出可能に収容されたキャップ付きのケースを着脱自在に保持する保持枠を、他端部に、屈曲した板状体から成る掻き手をそれぞれ形成した塗り薬塗布補助具が開示されている（例えば、特許文献２参照）。
【０００５】
【特許文献１】登録実用新案第３１３６２３７号公報
【特許文献２】特開平９−２２５０３８号公報
【考案の開示】
【考案が解決しようとする課題】
【０００６】
しかしながら、特許文献１に記載の、塗り薬具を螺子螺合して取付ける取付部材は、必ずしも全ての塗り薬具が着脱可能とは限らない。
【０００７】
一般的な塗り薬具は緩やかなテーパー状の首部に蓋と螺合するための螺子が加工されていて、しかも首部の直径は塗り薬具の種類に依らずほぼ等しいから、大抵の塗り薬具は前記取付部材に着脱可能である。しかし、首部が極端に太い又は細い塗り薬具は、その直径と取付部材の螺子穴の直径との差が大きいため、螺合して取付けることができない。また、蓋を嵌め込む型等の、首部が螺子加工されていない塗り薬具は、螺子螺合によって取付けることができない。
【０００８】
特許文献２に記載の塗り薬塗布補助具は、塗り薬が収納されたケース（即ち塗り薬具）を保持枠に挿入し、蝶ねじのねじ込みに伴って蝶ねじの先端と保持枠の周壁内面とで挟持することによって前記ケースが保持されるが、面積の小さな蝶ねじの先端と当接される部分１箇所に高い圧力が加わり、ケースを損傷する虞がある。
【０００９】
本考案は、上記問題点に鑑み、首部が極端に太い又は細い塗り薬具や首部が螺子加工されていない塗り薬具等を含む、多様な形状の塗り薬具を取付可能な折畳み式孫の手を提供することを課題とする。また、塗り薬具の損傷を回避しながら取付けられる、塗り薬具着脱可能な折畳み式孫の手を提供することを課題とする。
【課題を解決するための手段】
【００１０】
上記課題を解決する本考案の請求項１記載の塗り薬具着脱可能な折畳み式孫の手は、
先端を曲げて掻き部を形成したアームの後端部と、先端に塗り薬具を着脱可能に取付けるための取付部材を設けたアームの後端部とが、軸ボルトで折畳み可能に枢軸されて構成され、アームを開いて最大限伸ばした形状が、くの字状の形状にしてなる塗り薬具着脱可能な折畳み式孫の手であって、
取付部材が、アームの先端に外嵌され上下方向の貫通孔を有する先端が封止されたリップ溝形のフレームと、フレームに摺動自在に設けられフレームの先端と押圧部材で連結された摺動部材とを具え、摺動部材が押圧部材で押圧されることにより、アームの先端における左右略中央が凹まされて貫通孔内に設けられた第１係止部と、摺動部材の第１係止部と対向する端部の左右略中央が凹まされて設けられた第２係止部とで塗り薬具が挟持可能とされてなることを特徴とする塗り薬具着脱可能な折畳み式孫の手である。
【００１１】
本考案の請求項２は、請求項１に記載の塗り薬具着脱可能な折畳み式孫の手であって、フレームがアームに摺動自在とされ、フレームの１面に摺動方向に長いガイド孔が形成されると共に、ガイド孔に挿通されアームに螺合された抑え具によって、フレームがアームに固定可能とされてなることを特徴としている。
【００１２】
請求項３は、請求項１又は請求項２に記載の塗り薬具着脱可能な折畳み式孫の手であって、押圧部材が、摺動部材に回動自在に係合されフレームの先端に螺嵌されていて、押圧部材を手回しすることによって摺動部材が押圧可能とされてなることを特徴としている。
【００１３】
請求項４は、第１係止部の端面及び第２係止部の端面のうち、一方が上下略中央が凹まされた凹曲面とされると共に、他方が上下略中央が凸なる凸曲面とされてなることを特徴とする請求項１乃至請求項３の何れか１項に記載の塗り薬具着脱可能な折畳み式孫の手である。
【００１４】
請求項５は、第１係止部及び第２係止部の対向する端面に、緩衝材が接合されてなる請求項１乃至請求項４の何れか１項に記載の塗り薬具着脱可能な折畳み式孫の手である。
【００１５】
使用者は、本考案に係る塗り薬具着脱可能な折畳み式孫の手を伸ばし、掻き部を用いて背中など身体の手の届かない部位を掻き、又は取付部材に塗り薬具を取付け背中など身体の手の届かない患部に塗り薬を塗る。使用しない時には、本考案を折り畳んで携行する。
【考案の効果】
【００１６】
本考案に係る塗り薬具着脱可能な折畳み式孫の手は、アームに設けられた第１係止部と摺動部材に設けられた第２係止部とで塗り薬具が挟持されるから、塗り薬具の首部の直径の大小に関わらず、また、首部が螺子加工されていない塗り薬具でも取付けられる。即ち、本考案の折畳み式孫の手は、多様な形状の塗り薬具が着脱可能である。
【００１７】
互いに対向する、左右略中央が凹まされた第１係止部及び第２係止部で塗り薬具が挟持され、挟持するに必要な力が分散されるから、１箇所に集中して高い圧力が加わり塗り薬具を損傷することが回避される。
【００１８】
請求項２に記載の塗り薬具着脱可能な折畳み式孫の手は、フレームを摺動させて取付部材の内径を塗り薬具の直径にほぼ合わせた後、摺動部材の位置を調整することによって取付部材の内径を微調整できる。これによって塗り薬具の着脱がより簡便且つ迅速に行え、また、より広い範囲の首部の直径に対応することができる。
【００１９】
請求項３に記載の塗り薬具着脱可能な折畳み式孫の手は、調整後の取付部材の内径を一定に維持することができる。押圧部材がばね等の弾性を有する部材であると、意図せぬ力によって摺動部材が動き取付部材の内径が広がり、使用中に塗り薬具が落下する虞がある。それに対して、押圧部材として螺子を用いた本考案の折畳み式孫の手によれば、斯様な事態を回避して安定に塗り薬具を挟持することができる。
【００２０】
押圧力を調整することによって塗り薬具を挟持する力を調整できるから、塗り薬具の剛性に適した押圧力で挟持することが可能である。これにより、可撓性を有する塗り薬具でも挟持することができ、より多様な塗り薬具に対応できる。
【００２１】
請求項４に記載の塗り薬具着脱可能な折畳み式孫の手は、互いに対向する位置に設けられた凹曲面と凸曲面が当接されることによって塗り薬具の揺動が抑制されるから、塗り薬具をより安定に挟持できる。
【００２２】
請求項５に記載の塗り薬具着脱可能な折畳み式孫の手は、緩衝材が当接されて塗り薬具が挟持されるから、塗り薬具の損傷がより確実に回避される。また、当接される面積が広くなることによって、塗り薬具が、更に安定に挟持される。
【考案を実施するための最良の形態】
【００２３】
以下に、本考案を実施するための最良の形態を、実施例を示す図面を参照して詳細に説明する。尚、本実施例に、本考案は限定されるものではない。
【実施例】
【００２４】
図１は、本考案の実施例を示す斜視図である。図２は、本考案を折り畳んだ状態を示す側面図である。図３は、アーム後端部の枢軸部を示す要部斜視図である。
【００２５】
本考案に係る塗り薬具着脱可能な折畳み式孫の手は、図１に示される様に、先端を曲げて掻き部１Ａを形成したアーム１の後端部と、先端に塗り薬具を着脱可能に取付けるための取付部材２Ａを設けたアーム２の後端部とが、軸ボルト３で折畳み可能に枢軸されて構成され、アーム１とアーム２を開いて最大限伸ばした形状が、後端ストッパー部１ａと後端ストッパー部２ａが当接されることによって、くの字状の形状になる様にしてあり、折り畳むと図２に示される形状となる。
【００２６】
好ましくは、先端を曲げて掻き部１Ａを形成したアーム１の後端部と、先端に塗り薬具を着脱可能に取付けるための取付部材２Ａを設けたアーム２の後端部とが、緩慢なテーパーの凹凸面で組み合わされ、該組合せ面がバネ圧により加圧されて枢軸される。
【００２７】
アーム１とアーム２は、図３に示される様にアーム１後端部の支持ボス部１ｂとアーム２後端部の支持ボス部２ｂを上下に組合せ、軸受穴１ｃ及び軸受穴２ｃに軸ボルト３を挿通させて枢軸される様に形成されている。支持ボス部１ｂ及び支持ボス部２ｂが摩耗し易い材質の場合、平座金等を当てて面一にするための段差１ｄ及び段差２ｄを設け、組合せ面１ｅ及び組合せ面２ｅは緩慢なテーパーの凹凸面に形成する。また、バネ部材や軸ボルトの頭部が出張らないように座ぐり穴２ｆを設けてある。
【００２８】
図４は、軸ボルト３で枢軸された枢軸部の要部断面図である。
【００２９】
アーム１後端部の支持ボス部１ｂとアーム２後端部の支持ボス部２ｂは、支持ボス部１ｂの組合せ面１ｅと支持ボス部２ｂの組合せ面２ｅが緩慢なテーパーＴの凹凸面で当接されて組み合わされており、段差１ｄ及び段差２ｄが面一になるように平座金４，４を当てて軸ボルト３を軸受穴１ｃ及び軸受穴２ｃに挿通させ、バネ部材５を介在させて手回しナット（蝶ナット）６を締め付けてある。平座金４，４は、前記座ぐり穴２ｆに嵌入するように凹み穴４ａ，４ａが設けられていて、前記凹み穴に軸ボルト３の頭部３ａとバネ部材５が出張らないように挿入されている。尚、バネ部材５は市販のバネ座金（スプリングワッシャ）を使用しても良い。
【００３０】
図５は、取付部材２Ａを設けたアーム２の先端部を示す要部上面図である。図６は、取付部材２Ａを設けたアーム２の先端部を示す要部側方視断面図である。
【００３１】
取付部材２Ａは、図５及び図６に示される様に、アーム２の先端に外嵌され上下方向の貫通孔７ａを有する先端が封止されたリップ溝形のフレーム７と、フレーム７に摺動自在に設けられフレーム７の先端と押圧部材８で連結された摺動部材９とを具え、摺動部材９が押圧部材８で押圧されることにより、アーム２の先端における左右略中央が凹まされて貫通孔７ａ内に設けられた第１係止部２Ｂと、摺動部材９の第１係止部２Ｂと対向する端部の左右略中央が凹まされて設けられた第２係止部９ａとで塗り薬具が挟持可能とされている。
【００３２】
更に、フレーム７がアーム２に摺動自在とされ、フレーム７の上面に摺動方向に長いガイド孔７ｂが形成されると共に、ガイド孔７ｂに挿通されアーム２に螺合された抑え具１０によって、フレーム７がアーム２に固定可能とされている。
【００３３】
フレーム７は、先端が封止されたリップ溝形の部材であって、内部空間の幅及び高さは夫々アーム２先端付近の幅及び高さより僅かに大きくされている。アーム２の上面には螺子穴２Ｃが設けられると共に、フレーム７上面の螺子穴２Ｃと対応する位置にはフレーム７の摺動方向に長いガイド孔７ｂが形成されていて、ガイド孔７ｂに挿通され螺子穴２Ｃと螺合された抑え具１０によって、フレーム７がアーム２に固定可能とされている。フレーム７の充分な摺動長さを得るために、フレーム７の上面における左右略中央はアーム２の後端部に向けて若干長くされると共に、ガイド孔７ｂの長さは充分に長くされている。螺子穴２Ｃ，ガイド孔７ｂ及び抑え具１０の設けられる位置は、三者が全て対応する位置に設けられていれば良く、特にその位置を限定するものではない。
【００３４】
また、フレーム７は、必ずしもアーム２に摺動自在に設けられている必要は無く、フレーム７がアーム２に固定されていても良く、フレーム７がアーム２と一体として作成されていても良い。
【００３５】
フレーム７は、鉄，炭素鋼，ステンレス鋼，アルミニウム合金等の剛性を有する金属，ポリエチレン，ポリプロピレン，ポリ塩化ビニル，ポリスチレン，ポリテトラフルオロエチレン，ＡＢＳ樹脂，ポリカーボネート，ポリアミド，ポリメタクリル酸エステル等の剛性を有する合成樹脂，又は木材等で作成され、特にその材質を限定するものではないが、加工し易い、剛性を有する金属又は合成樹脂が好適に用いられる。安価に入手でき、変形や腐食を起こし難い、ステンレス鋼，表面が防錆処理された金属，ポリエチレン，ポリプロピレン又はポリ塩化ビニルが、特に好適に用いられる。
【００３６】
更に、フレーム７は穿孔されて、上下方向の貫通孔７ａが設けられている。塗り薬具を挿通できる形状及び大きさであれば本実施例の形状に限られず、円，楕円，多角形等の任意形状に穿孔されていても良い。
【００３７】
抑え具１０は、螺子加工された軸部１０ｂと、軸部１０ｂの上端に接合され略円形の下端形状を有する頭部１０ａを具えた、手回し可能な部材である。頭部１０ａ下端の直径は、ガイド孔７ｂの幅よりも大きくされ、抑え具１０を締め付けると、頭部１０ａによってフレーム７がアーム２に圧接されて固定される。本実施例においては、六角ボルト様の抑え具が用いられているが、手回し可能な形状であればこれに限定されず、頭部１０ａの周面にメッシュ状等任意形状の滑り止めのための凹凸が設けられていても良く、抑え具１０が蝶ボルト様の形状とされていても良い。
【００３８】
抑え具１０は、鉄，炭素鋼，ステンレス鋼，アルミニウム合金等の剛性を有する金属，ポリエチレン，ポリプロピレン，ポリ塩化ビニル，ポリスチレン，ポリテトラフルオロエチレン，ＡＢＳ樹脂，ポリカーボネート，ポリアミド，ポリメタクリル酸エステル等の剛性を有する合成樹脂，イソプレンゴム，ＮＢＲ，ＳＢＲ，フッ素ゴム等の合成ゴム，シリコーンゴム，天然ゴム，又は木材等で作成され、特にその材質を限定するものではないが、加工し易い、剛性を有する金属若しくは合成樹脂，合成ゴム，シリコーンゴム又は天然ゴムが好適に用いられる。安価に入手でき変形や腐食を起こし難い、ステンレス鋼，表面が防錆処理された金属，ポリエチレン，ポリプロピレン，ポリ塩化ビニルが、特に好適に用いられる。
【００３９】
また、頭部１０ａと軸部１０ｂが互いに異なる材質で作成されることを妨げるものではなく、頭部１０ａの周面に滑り止めのための凹凸が設けられている場合には、より確実な滑り止めのために、剛性を有する金属又は合成樹脂で作成された軸部１０ｂに、少なくとも外周が合成ゴム，シリコーンゴム又は天然ゴム、好ましくはイソプレンゴム，ＮＢＲ，ＳＢＲ，フッ素ゴム，シリコーンゴム又は天然ゴムで作成された頭部１０ａが接合されていても良い。
【００４０】
第１係止部２Ｂは、貫通孔７ａ内に設けられ、アーム２の先端における左右略中央が略くの字状に凹まされ、若干厚くされて形成されている。第１係止部２Ｂは、アーム２とは別に作成された１又は２以上の部材が接合されて設けられていても良く、アーム２の先端が加工されて形成されていても良い。第１係止部２Ｂの凹みの形状は、塗り薬具を安定に挟持するのに適した形状であれば必ずしも略くの字状に限られず、略円弧状や任意多角形状であっても良いが、首部の直径の大小に関わらず塗り薬具と２箇所で当接され、塗り薬具を安定に挟持できる、略くの字状の形状が好ましい。また、第１係止部２Ｂは、必ずしも厚くされている必要は無く、アーム２と等しい厚みとされていても良いが、より広い面積で塗り薬具に当接され、安定に塗り薬具を挟持できる様に、若干厚くされていることが好ましい。
【００４１】
第１係止部２Ｂの端面は、上下略中央が凹まされた凹曲面とされている。塗り薬具を挟持できる形状であれば必ずしも凹曲面に限られず、平面又は凸曲面とされていても良いが、揺動を防ぎ塗り薬具を安定に挟持するため、第１係止部２Ｂの端面及び第２係止部９ａの端面のうち、一方が凹曲面とされると共に、他方が凸曲面とされていることが好ましい。
【００４２】
略平板状の摺動部材９が、フレーム７に摺動自在に設けられている。摺動部材９の第１係止部２Ｂと対向する端部は、左右略中央が略くの字状に凹まされ若干厚くされて、第２係止部９ａが形成されている。第２係止部９ａの凹みの形状は、塗り薬具を安定に挟持するのに適した形状であれば必ずしも略くの字状に限られず、略円弧状や任意多角形状であっても良いが、首部の直径の大小に関わらず塗り薬具と２箇所で当接され、塗り薬具を安定に挟持できる、略くの字状の形状が好ましい。また、第２係止部９ａの厚みは、摺動部材９の他部と等しくされていても良いが、より安定に塗り薬具を挟持できる様に、少なくともその左右中央付近が若干厚くされていることが好ましい。
【００４３】
摺動部材９は、鉄，炭素鋼，ステンレス鋼，アルミニウム合金等の剛性を有する金属，ポリエチレン，ポリプロピレン，ポリ塩化ビニル，ポリスチレン，ポリテトラフルオロエチレン，ＡＢＳ樹脂，ポリカーボネート，ポリアミド，ポリメタクリル酸エステル等の剛性を有する合成樹脂，又は木材等で作成され、特にその材質を限定するものではないが、加工し易い、剛性を有する金属又は合成樹脂が好適に用いられる。安価に入手でき、変形や腐食を起こし難い、ステンレス鋼，表面が防錆処理された金属，ポリエチレン，ポリプロピレン又はポリ塩化ビニルが、特に好適に用いられる。
【００４４】
第２係止部９ａの第１係止部２Ｂと対向する端面は、上下略中央が凸なる凸曲面とされている。塗り薬具を挟持できる形状であれば必ずしも凸曲面に限られず、平面又は凹曲面とされていても良いが、揺動を防ぎ塗り薬具を安定に挟持するため、第１係止部２Ｂの端面及び第２係止部９ａの端面のうち、一方が凹曲面とされると共に、他方が凸曲面とされていることが好ましい。
【００４５】
フレーム７の先端と摺動部材９は押圧部材８で連結されていて、押圧部材８で摺動部材９が押圧されることによって、第１係止部２Ｂと第２係止部９ａとで塗り薬具が挟持可能とされている。押圧部材８は、略円柱状で周面が螺子加工された軸部８ｂと、軸部８ｂよりも広い直径を有し周面に滑り止めのための多数の凹溝が設けられた略円柱状の頭部８ａが同一軸芯上で接合されてなり、軸部８ｂの先端は幅広くされ円盤状のストッパー部８ｃが設けられている。摺動部材９の端部には、直径が軸部８ｂより大きくストッパー部８ｃよりも小さい穴が穿孔され、該穴と連通しストッパー部８ｃを収容可能な空間が穿設されて、係合部９ｂが設けられている。ストッパー部８ｃが係合部９ｂと係合されることによって押圧部材８は摺動部材９と回動自在であって、軸部８ｂがフレーム７の先端に設けられた螺子穴７ｃと螺嵌されているから、押圧部材８を回転させることによって、摺動部材９を摺動させ又は押圧することが可能である。
【００４６】
押圧部材８は、鉄，炭素鋼，ステンレス鋼，アルミニウム合金等の剛性を有する金属，ポリエチレン，ポリプロピレン，ポリ塩化ビニル，ポリスチレン，ポリテトラフルオロエチレン，ＡＢＳ樹脂，ポリカーボネート，ポリアミド，ポリメタクリル酸エステル等の剛性を有する合成樹脂，イソプレンゴム，ＮＢＲ，ＳＢＲ，フッ素ゴム等の合成ゴム，シリコーンゴム，天然ゴム，又は木材等で作成され、特にその材質を限定するものではないが、加工し易い、剛性を有する金属若しくは合成樹脂，合成ゴム，シリコーンゴム又は天然ゴムが好適に用いられる。安価に入手でき、変形や腐食を起こし難い、ステンレス鋼，表面が防錆処理された金属，ポリエチレン，ポリプロピレン，ポリ塩化ビニルが、特に好適に用いられる。
【００４７】
また、頭部８ａと軸部８ｂが互いに異なる材質で作成されることを妨げるものではなく、本実施例の様に略円柱状に形成された頭部８ａの周面に滑り止めのための凹凸が設けられている場合には、より確実な滑り止めのために、剛性を有する金属又は合成樹脂で作成された軸部８ｂに、少なくとも外周が合成ゴム，シリコーンゴム又は天然ゴム、好ましくはイソプレンゴム，ＮＢＲ，ＳＢＲ，フッ素ゴム，シリコーンゴム又は天然ゴムで作成された頭部８ａが接合されていても良い。
【００４８】
本実施例においては、頭部８ａの周面に多数の上下方向の凹溝が設けられているが、手回しを容易とする滑り止めの形状は特に限定されず、メッシュ状の凹凸等任意形状の凹凸が頭部８ａの周面に形成されていても良く、押圧部材８が蝶ボルト様の形状とされていても良い。
【００４９】
また、押圧部材８は、必ずしも上記形態に限られず、両末端がフレーム７の先端と摺動部材９に接合された発条等の弾性を有する部材であっても良い。
【００５０】
第１係止部２Ｂの端面にはＳＢＲ製で帯状の緩衝材１１が、及び第２係止部９ａの端面にはＳＢＲ製で帯状の緩衝材１２が接合されて設けられている。
【００５１】
緩衝材１１及び緩衝材１２の形状は、何れも帯状に限定されず、円柱状，角柱状等の任意形状に形成されていても良い。第１係止部２Ｂの端面又は第２係止部９ａの端面の少なくとも一方を曲面とする場合には、第１係止部２Ｂ又は第２係止部９ａの平らな端面に、曲面を有する緩衝材１１又は緩衝材１２が接合されていても良く、予め曲面を形成された第１係止部２Ｂ又は第２係止部９ａに帯状の緩衝材１１又は緩衝材１２が接合されていても良い。また、緩衝材１１及び緩衝材１２は、何れも、単一の部材である必要は無く、２個以上の緩衝材が接合されて設けられていても良い。
【００５２】
緩衝材１１及び緩衝材１２の材質は、緩衝能を有し、挟持される塗り薬具を損傷し難い材質であれば必ずしもＳＢＲに限られず、イソプレンゴム，ＮＢＲ，ＳＢＲ，フッ素ゴム等の合成ゴム，ポリウレタンフォーム，ポリスチレンフォーム，ポリエチレンフォーム，ポリプロピレンフォーム，ポリ塩化ビニルフォーム等の発泡樹脂，シリコーンゴム，天然ゴム等が用いられるが、繰り返し使用しても変形又は損傷し難いイソプレンゴム，ＮＢＲ，ＳＢＲ，フッ素ゴム，シリコーンゴム又は天然ゴムが好適に用いられる。
【使用例】
【００５３】
図７は、本考案に塗り薬具１３を取り付けた状態を示す要部側面図である。使用者は、貫通孔７ａに塗り薬具１３の首部を挿通し、フレーム７を摺動させて第１係止部２Ｂと第２係止部９ａの間隔を調節し、抑え具１０を締め付けてフレーム７のアーム２に対する位置を固定する。押圧部材８の押圧力を調節して、第１係止部２Ｂと第２係止部９ａで塗り薬具１３を挟持する。斯様にして塗り薬具１３を挟持することにより、首部が螺子加工されていない塗り薬具や、首部の直径の異なる多様な塗り薬具を取り付けることが可能である。
【００５４】
実施例の折畳み式孫の手に塗り薬具１３を取り付けた状態では、第１係止部２Ｂ及び第２係止部９ａが何れも略くの字状であって、前記塗り薬具１３が第１係止部２Ｂ及び第２係止部９ａと４箇所で当接されて、安定に挟持されている。第１係止部２Ｂ及び第２係止部９ａが若干厚くされているから、当接される面積が広く、より安定な挟持に寄与している。更に、第１係止部２Ｂの端面が上下略中央が凹まされた凹曲面とされ、第２係止部９ａの端面が上下略中央が凸なる凸曲面とされているから、挟持された塗り薬具１３の揺動が回避され、更に安定に挟持することが可能である。
【００５５】
本考案に係る塗り薬具着脱可能な折畳み式孫の手は、アーム１とアーム２を開いて最大限伸ばした形状がくの字状であるから、真直ぐな形状の孫の手では届き難い身体の部分を掻くことが可能である。同様に、手の届き難い身体の部分に塗り薬を塗布することが可能である。
【００５６】
叙上の通り、本考案は塗り薬を塗布するのに有用であるが、塗り薬具１３の代りに、ねり薬を一面に塗布したアダプターを取付部材２Ａに取付けることにより、ねり薬を塗布することにも用いることができる。
【図面の簡単な説明】
【００５７】
【図１】本考案の実施例を示す斜視図である。
【図２】本考案を折り畳んだ状態を示す側面図である。
【図３】アーム後端部の枢軸部を示す要部斜視図である。
【図４】軸ボルトで枢軸された枢軸部の要部断面図である。
【図５】取付部材を設けたアームの先端部を示す要部上面図である。
【図６】取付部材を設けたアームの先端部を示す要部側方視断面図である。
【図７】本考案に塗り薬具を取り付けた状態を示す要部側面図である。
【符号の説明】
【００５８】
１，２  アーム
１Ａ  掻き部
１ａ，２ａ，８ｃ  ストッパー部
１ｂ，２ｂ  支持ボス部
１ｃ，２ｃ  軸受穴
１ｄ，２ｄ  段差
１ｅ，２ｅ  組合せ面
２ｆ  座ぐり穴
２Ａ  取付部材
２Ｂ  第１係止部
２Ｃ，７ｃ  螺子穴
３  軸ボルト
３ａ，８ａ，１０ａ  頭部
４  平座金
４ａ  凹み穴
５  バネ部材
６  手回しナット（蝶ナット）
７  フレーム
７ａ  貫通孔
７ｂ  ガイド孔
８  押圧部材
８ｂ，１０ｂ  軸部
９  摺動部材
９ａ  第２係止部
９ｂ  係合部
１０  抑え具
１１，１２  緩衝材
１３  塗り薬具
【図１】
0003139577.tif 000003
【図２】
0003139577.tif 000004
【図３】
0003139577.tif 000005
【図４】
0003139577.tif 000006
【図５】
0003139577.tif 000007
【図６】
0003139577.tif 000008
【図７】
0003139577.tif 000009